(57)【要約】【課題】画像読取部の総合的な分光感度に制約を加えたり、使用者に原稿の出力手段を判別させることなしに、原稿の出力手段に関わらず、良好な色再現の複製を簡便に得る。【解決手段】照明光源により照明された原稿を、光学系を介して撮像素子により光電変換する画像読取装置を用い、複数の異なる条件で読み取りをおこない、複数の画像データを記憶し、データ評価手段により画像データを評価した結果に基づき、原稿を出力した出力手段の種別を判別することを特徴とする原稿判別方法及び原稿判別装置を有する画像形成装置とする。【選択図】　　　　なし【特許請求の範囲】
【請求項１】
光源により光照射された原稿画像を、光学系を介して撮像素子により光電変換して画像データを得る画像読取装置を用い、
前記原稿画像を、複数の異なる条件で読み取りをおこない、
読み取った複数の画像データを記憶し、
記憶した複数の画像データを評価した結果に基づき、原稿を出力した出力手段の種別を判別することを特徴とする原稿判別方法。
【請求項２】
前記画像データは、同一原稿の可視光領域の反射画像のデータと、少なくとも赤外光領域を含む反射画像のデータであることを特徴とする請求項１に記載の原稿判別方法。
【請求項３】
前記画像データは、異なる光源位置による同一原稿の反射画像データと、異なる分光特性の光源による同一原稿の反射画像データの少なくとも一方を含むことを特徴とする請求項１又は２に記載の原稿判別方法。
【請求項４】
前記画像データの評価内容は、赤外反射率特性の変化の有無、空間周波数の集中の有無、光沢の有無、グレー部の分光反射率特性の変化の有無、色域の広さの評価であって、このうち少なくとも一つを含み、原稿の出力手段の種別を判別することを特徴とする請求項１〜３の少なくとも１項に記載の原稿判別方法。
【請求項５】
光源により光照射された原稿画像を、光学系を介して撮像素子により光電変換して画像データを得る画像読取装置を用い、
前記原稿を、複数の異なる条件で読み取りをおこなう読取手段と、
前記読取手段で読み取った複数の画像データを記憶する記憶手段と、
前記記憶手段に記憶された画像データを評価するデータ評価手段と、
前記データ評価手段により得られた結果に基づき、原稿を出力した出力手段の種別を判別する判別手段と、
を有することを特徴とする原稿判別装置を有する画像形成装置。
【請求項６】
前記判別手段の判定基準は、外部入力手段により変更可能となっていることを特徴とする請求項５に記載の原稿判別装置を有する画像形成装置。
【請求項７】
前記原稿の出力手段の種別は、外部入力手段より入力可能であり、前記入力手段により入力された前記原稿の出力手段の種別と、前記原稿判別装置により判別された前記原稿の出力手段の種別とが異なる場合、警告をおこなうことを特徴とする請求項５又は６に記載の原稿判別装置を有する画像形成装置。
【発明の詳細な説明】
【０００１】
【発明の属する技術分野】
本発明は、原稿の出力手段の種別を判別する原稿判別方法及び原稿判別装置を有する画像形成装置に関するものである。
【０００２】
【従来の技術】
近年、カラー画像出力手段が多様化し、例えば画像出力手段としては、銀塩写真、印刷物、インクジェットプリンタによるプリント、昇華型感熱転写プリンタによるプリント、電子写真等がある。これら種々の出力手段で出力されたカラープリントが、安価で手軽に得られるようになってきた。
【０００３】
また、これらのカラープリントの複製が必要となる場合が、多々あるのも事実である。このような時、手持ちのプリントを原稿として、原稿台に置き、スタートさせるだけで原稿を画像読取装置で読み取り、更にその後、読み取ったデータに基づいて、自動的にカラーの複製を作成する、デジタル複写機などの画像形成装置を使用するのが、最も簡便な方法としておこなわれている。
【０００４】
これらデジタル複写機などの画像形成装置では、入力された画像データから、原稿の種類、例えば文字原稿か写真原稿かなどを判別し、この判別結果から、出力画像の濃度調整をおこなう機能が搭載されているものもある。
【０００５】
また、原稿を画像読取装置で読み取り、その読み取ったデータをもとに、チラシ等の色下地のあるカラー文字原稿を的確に再現することを目的とした画像処理方法及び画像処理装置並びに画像形成装置が、開示されている。（例えば、特許文献１参照）
しかし、これらの画像形成装置では、前述の多種にわたる画像出力手段で出力されたカラー画像を原稿とした時、その原稿の出力手段に関わらず、忠実な色再現の複製を得ることは困難であった。例えば、特定の１種の画像出力手段で出力された原稿に対して、適合するよう画像形成手段の出力を最適化した場合、他の画像出力手段で出力された原稿に対しては、色再現性に劣る結果となってしまうのが一般的であった。
【０００６】
これは、前述の画像読取装置に原因があり、画像読取部の光学特性、特に照明用光源の分光強度分布、介在する光学系の分光透過率、撮像素子の分光感度の積算で得られる最終的な各波長での利得（以下、総合的な分光感度と称す）が、人間の眼の分光感度と異なっていることが、その最大の要因である。このため、出力手段の異なる原稿に対し、人には同じように見えるものが、画像読取装置で読み取った画像データとしては、種々異なるものになっているためである。
【０００７】
この問題に対し、上述の画像読取部の総合的な分光感度を、人間の眼の分光感度に近似させて解決する方法が考えられる。しかし、この方法は上述の光源、光学系、撮像素子の個々に課せられる必要条件が非常に厳しくなり、コストの著しい増加や速度の低下といった性能劣化が避けられない。
【０００８】
また、解決策として、使用者に原稿の出力手段を判別してもらい、外部入力手段により入力させ、それに応じて画像データを補正する方法が考えられるが、判別の誤りや、誤入力に対しては為すすべがないという問題がある。
【０００９】
一方、別の解決策として、個々の原稿出力手段に対応して、複製の画像形成時に色再現パラメータを補正し、良好な色再現を得ようとする方法が考えられるが、この場合には原稿の出力された出力手段を正確に判別する方法及び手段が必要となる。
【００１０】
【特許文献１】
特開２００１−１０３３１０号公報
【００１１】
【発明が解決しようとする課題】
本発明は、上記事情に鑑みてなされたもので、画像読取部の総合的な分光感度に制約を加えたり、使用者に原稿の出力手段を判別させることなく、原稿の出力手段に関わらず、良好な色再現の複製を得るために、原稿の出力手段を判別する原稿判別方法及び原稿判別装置を有する画像形成装置を提供することを目的とするものである。
【００１２】
【課題を解決するための手段】
上記の課題は、光源により光照射された原稿画像を、光学系を介して撮像素子により光電変換して画像データを得る画像読取装置を用い、前記原稿画像を、複数の異なる条件で読み取りをおこない、読み取った複数の画像データを記憶し、記憶した複数の画像データを評価した結果に基づき、原稿を出力した出力手段の種別を判別することを特徴とする原稿判別方法、とすることで原稿の出力手段の種別が判別可能となる。
【００１３】
また具体的には、前記画像データは、同一原稿の可視光領域の反射画像のデータと、少なくとも赤外光領域を含む反射画像のデータであることを特徴とする原稿判別方法、とすることで原稿の色材による種別が判別可能となる。
【００１４】
更に、前記画像データは、異なる光源位置による同一原稿の反射画像データと、異なる分光特性の光源による同一原稿の反射画像データの少なくとも一方を含むことを特徴とする原稿判別方法、とすることでより細分化された種別が判別可能となる。
【００１５】
更にまた、前記画像データの評価内容は、赤外反射率特性の変化の有無、空間周波数の集中の有無、光沢の有無、グレー部の分光反射率特性の変化の有無、色域の広さの評価であって、このうち少なくとも一つを含み、原稿の出力手段の種別を判別することを特徴とする原稿判別方法、とすることで原稿の出力手段の種別が判別可能となる。
【００１６】
加えて、光源により光照射された原稿画像を、光学系を介して撮像素子により光電変換して画像データを得る画像読取装置を用い、前記原稿を、複数の異なる条件で読み取りをおこなう読取手段と、前記読取手段で読み取った複数の画像データを記憶する記憶手段と、前記記憶手段に記憶された画像データを評価するデータ評価手段と、前記データ評価手段により得られた結果に基づき、原稿を出力した出力手段の種別を判別する判別手段と、を有することを特徴とする原稿判別装置を有する画像形成装置、とすることで原稿に依存せず、良好な色再現が可能な画像形成装置が得られる。
【００１７】
また、前記判別手段の判定基準は、外部入力手段により変更可能となっていることを特徴とする原稿判別装置を有する画像形成装置、とすることでオペレーターもしくはユーザーによる微妙な修正を可能とできる。
【００１８】
更に、前記原稿の出力手段の種別は、外部入力手段より入力可能であり、前記入力手段により入力された前記原稿の出力手段の種別と、前記原稿判別装置により判別された前記原稿の出力手段の種別とが異なる場合、警告をおこなうことを特徴とする原稿判別装置を有する画像形成装置、とすることでユーザーの誤入力に対し警告し、失敗による用紙の無駄を省くことができる。
【００１９】
即ち、本願発明は、原稿が出力された出力手段の種別に対応して、原稿画像の赤外反射率特性、画像を構成するドットの周期性、光沢、分光反射率特性、彩度等の特徴量に差異を有することに着目し、これらを検出し利用することにより原稿の出力手段を判別し、上記目的を達成しようとするものである。
【００２０】
【発明の実施の形態】
本発明の原稿判別方法及び原稿判別装置を有する画像形成装置について、以下にその実施の形態を、図を用いて説明するが、本発明はこれらに限定されるものではない。また、以下の説明には用語等に対する、断定的な表現が含まれている場合があるが、本発明の好ましい例を示すものであって、本発明の用語の意義や技術的な範囲を、限定するものではない。
【００２１】
図１は、本発明の原稿判別方法を用いた原稿判別装置を有する画像形成装置の、一実施形態であるカラー画像形成装置の概略断面構成図である。図１において、画像形成装置ＧＳは機構的には、画像読取装置ＹＳと画像形成装置本体ＧＨとから構成される。
【００２２】
画像読取装置ＹＳは、自動原稿搬送装置１０と読取光学装置２０と原稿台読取装置３０からなり画像形成装置本体ＧＨの上部に画像読取装置ＹＳが設置されている。自動原稿搬送装置１０の原稿台上に載置された原稿ｄは、搬送手段により搬送され、読取光学装置２０の光学系により、原稿の片面または両面の画像が走査露光され、撮像素子にて読み込まれる。
【００２３】
撮像素子により光電変換されたアナログ信号は、画像処理部において、アナログ処理、Α／Ｄ変換、シェーディング補正、画像圧縮処理等を行った後、図示しない記憶手段に、格納される。
【００２４】
自動原稿搬送装置１０は、自動両面原稿搬送手段を備え、原稿載置台上から給送される多数枚の原稿ｄの内容を、連続して一挙に読み取り、図示しない記憶手段に蓄積が可能であり（電子ＲＤＨ機能）、複写機能により多数枚の原稿内容を複写する場合、或いはファクシミリ機能により多数枚の原稿ｄを送信する場合にも使用される。
【００２５】
画像形成装置本体ＧＨは、タンデム型カラー画像形成装置と称されるもので、複数組の画像形成部１０Ｙ、１０Ｍ、１０Ｃ、１０Ｋとベルト状の中間転写体６と給紙搬送手段２００〜２３０、２５０、２６０及び定着装置２４０とからなる。
【００２６】
イエロー（Ｙ）の画像を形成する画像形成部１０Ｙは、潜像担持体としての感光体ドラム１Ｙの周囲に配置された帯電手段２Ｙ、露光手段３Ｙ、現像装置４Ｙ及びクリーニング手段８Ｙが配置されている。マゼンタ（Ｍ）の画像を形成する画像形成部１０Ｍは、像担持体としての感光体ドラム１Ｍの周囲に配置された帯電手段２Ｍ、露光手段３Ｍ、現像装置４Ｍ及びクリーニング手段８Ｍが配置されている。シアン（Ｃ）の画像を形成する画像形成部１０Ｃは、像担持体としての感光体ドラム１Ｃの周囲に配置された帯電手段２Ｃ、露光手段３Ｃ、現像装置４Ｃ及びクリーニング手段８Ｃが配置されている。黒（Ｋ）の画像を形成する画像形成部１０Ｋは、像担持体としての感光体ドラム１Ｋの周囲に配置された帯電手段２Ｋ、露光手段３Ｋ、現像装置４Ｋ及びクリーニング手段８Ｋが配置されている。帯電手段２Ｙと露光手段３Ｙ、帯電手段２Ｍと露光手段３Ｍ、帯電手段２Ｃと露光手段３Ｃ、帯電手段２Ｋと露光手段３Ｋ、はそれぞれ潜像形成手段を構成している。
【００２７】
中間転写体６は、複数のローラにより巻回され、回動可能に支持されている。画像形成部１０Ｙ、１０Ｍ、１０Ｃ及び１０Ｋで形成された各色の画像は、回動する中間転写体６上に転写手段７Ｙ、７Ｍ、７Ｃ及び７Ｋにより逐次転写され（一次転写）、合成されたカラー画像が形成される。給紙カセット２００内に収容された記録紙Ｐは、給紙手段２１０により給紙され、給紙ローラ２２０Ａ、２２０Ｂ、２２０Ｃ、２２０Ｄ、レジストローラ２３０等を経て転写手段７Ａに搬送された後、中間転写体６上にて合成されたカラー画像が記録紙Ｐ上に転写される（２次転写）。転写された記録紙Ｐ上のカラー画像は定着装置２４０により、定着処理され、排紙ローラ２５０に挟持されて機外の排紙トレイ２６０上に載置される。５Ｙ、５Ｍ、５Ｃ、５Ｋは、現像装置４Ｙ、４Ｍ、４Ｃ、４Ｋにそれぞれ新規のトナーを補給するトナー補給手段である。
【００２８】
図２は、画像読取装置ＹＳの構成を説明するための縦断面図である。図示の画像読取装置は、自動原稿搬送装置１０、読取光学装置２０、及び原稿台読取装置３０からなる。
【００２９】
先ず、自動原稿搬送装置１０について説明する。原稿Ｄは、給紙皿１１上に積載された後、原稿Ｄの給紙方向と直交する幅方向に移動可能な幅規制部材１２によって整合されて幅規制され、原稿長検出センサ１３Ａ、１３Ｂ、１３Ｃとによって原稿Ｄの搬送方向の長さが検出される。従って、給紙皿１１上に載置された原稿Ｄのサイズは、幅規制部材１２の移動量と、原稿長検出センサ１３Ａ、１３Ｂ、１３Ｃとにより検出される。
【００３０】
給紙皿１１の原稿給送方向の下流側には、送り出しローラ対１４Ａ、分離給送ローラ対１４Ｂ、レジストローラ対１４Ｃが配置されている。昇降可能な送り出しローラ対１４Ａは、駆動ローラと従動ローラとからなり駆動源より伝達系を経て回転され、給紙皿１１上に積載された原稿Ｄの上層の少数枚の原稿Ｄを送り出す。送り出しローラ対１４Ａの下流側に配置された分離給送ローラ対１４Ｂは、駆動源に接続して回転可能な送りローラと、トルクリミッタを有する停止ローラとからなる。分離給送ローラ対１４Ｂの更に下流側に配置されたレジストローラ対１４Ｃは、駆動源に接続して回転可能なレジストローラと従動ローラとからなる。送り出しローラ対１４Ａ、分離給送ローラ対１４Ｂ、レジストローラ対１４Ｃは、図示しない駆動源のステッピングモータ等からなる給紙用モータにより駆動される。
【００３１】
レジストローラ対１４Ｃの回転開始は、以降における原稿Ｄの搬送タイミング及び画像読み取りタイミング等の基準となる。
【００３２】
また、レジストローラ対１４Ｃの上流側には、原稿Ｄの通過を検出する通過センサＰＳ１０が配置されており、原稿Ｄのレジスト、ジャム等を検出する。
【００３３】
レジストローラ対１４Ｃから排出された原稿Ｄは、案内板１６Ａに沿って進行し、回転する大径の搬送ドラム１５と従動ローラ１６Ｂ、１６Ｄ、１６Ｃにより挟持されて搬送ドラム１５の外周面に沿って搬送され、画像読取位置Ｒを通過する。画像読取位置Ｒにおいては、光透過性のスリット露光用ガラス２１と、原稿Ｄを案内する案内板１６Ｄとが対向する間隙を原稿Ｄが通過するとき、後述する読取光学装置２０により原稿Ｄの画像が読み取られる。
【００３４】
なお、画像読取位置Ｒにおいて原稿Ｄの画像が読み取られた後は、その原稿が片面原稿であるか、両面原稿であるかによってその後の搬送経路が異なるが、本発明の要旨とは、異なるため省略する。また、原稿判別のための画像読み取り時の動作は、後述する。
【００３５】
読取光学装置２０は、図２に示す如く自動原稿搬送装置１０を用いてスリット露光用ガラス２１上の画像読取位置Ｒに搬送されて通過中の原稿Ｄに対して、静止状態の光源及び光学系により読み取りを行う原稿移動読取機能（実線で図示）と、自動原稿搬送装置１０を用いずに原稿台ガラス（プラテンガラス）３１上に載置した原稿Ｄに対して、光源及び光学系を移動させて読み取りを行う光学系移動読取機能（破線で図示）との二つの機能からなる。
【００３６】
光源２２は、主走査方向（図２における紙面垂直方向）に伸びる線状光源であり、本発明においては、可視光と赤外光を含む、例えば図３に示す分光強度の光源２２Ａ（本例ではＨＩＤランプ）と、光源は同じで原稿面に対して２２Ａよりも大きな入射角で照明する光源２２Ｂと、波長５００ｎｍ近傍もしくは６００ｎｍ近傍の単色光を発するＬＥＤを線状に構成した光源２２Ｌの３種が配置されている。なお、光源２２Ｂは、スリット露光用ガラス２１及び原稿台ガラス３１の原稿側の境界面において、全反射の起こらぬよう位置設定されている。
【００３７】
この３種の光源を選択的に用いて、スリット露光用ガラス２１上の画像読取位置Ｒまで搬送された原稿Ｄ、及び原稿台ガラス３１上に載置された原稿Ｄに対して光照射ができるようになっている。第１ミラー２３、Ｖミラー２４Ａ、２４Ｂは、光源２２から出射し、原稿Ｄから反射した光を、後述の撮像素子２６に導くよう構成されている。
【００３８】
光学系移動読取機能において、原稿Ｄの画像を読みとる際には、上述の光源２２及び第１ミラー２３は一体となって主走査方向と直交する副走査方向（図２において左右方向）に移動すると共に、Ｖミラー２４Ａ、２４Ｂは光源２２及び第１ミラー２３の移動速度の１／２の移動速度で移動するように構成されている。そして、Ｖミラー２４Ａ、２４Ｂにて反射した原稿Ｄの光像を撮像レンズ２５を介して撮像素子２６に結像させる。
【００３９】
撮像素子２６は、原稿Ｄにて反射した光像を１画素毎に光電変換する光電変換素子であり、主走査方向に伸びるラインセンサ（例えば、ラインＣＣＤ）で構成されている。本実施例では、ＲＧＢの３色がそれぞれライン状に配置されたものを使用する。原稿台ガラス３１上に載置された原稿Ｄに対しては、光源２２、第１ミラー２３、Ｖミラー２４Ａ、２４Ｂが副走査方向に移動することにより、原稿Ｄの全面の画像を読み取ることができる。
【００４０】
なお、変倍時は所定の変倍比内は光学的に変倍し、所定の範囲を超える場合は、画像処理による変倍がなされるようになっている。この変倍は、ズームレンズを用いても良いし、単焦点レンズによる拡大率の変更による方法でも良い。また副走査方向のデータ取得ピッチは、主走査方向のデータ取得ピッチに合わせて変更される。即ち、撮像素子ピッチと撮像光学系により決まる主走査方向の原稿面上のデータ取得ピッチと、副走査方向のデータ取得ピッチは、近似するよう制御される。
【００４１】
撮像素子２６の前方には、６５０ｎｍ付近より長波長側の透過を抑制し始めるＩＲカットフィルタ２７が配置され、図示しない機構により、光路から退避可能となっている。なお、ＩＲカットフィルタ２７が光路から退避した時は、撮像素子２６を撮像レンズ２５側へ移動させる方法や、撮像素子２６の前方に、赤外光を透過させ、ＩＲカットフィルタ２７と屈折率、厚みの略等しい光学部材を挿入する方法等で、撮像素子２６に焦点を合わせるようにするのは勿論である。
【００４２】
図４に、画像形成装置ＧＳの概略ブロック図を示す。図示のように、主制御部６０に、操作パネル部５０、画像読取装置ＹＳ、画像形成装置本体ＧＨが接続され、操作パネル部５０には、表示手段と外部入力手段があり、操作パネル部５０以外のＣＰＵには、それぞれＲＯＭ、ＲＡＭと各部を動作させるドライバ等が接続されている。
【００４３】
このように構成された画像読取装置ＹＳを用いて、その動作と本発明の原稿判別方法について説明する。
【００４４】
原稿の画像出力手段を判別するために、原稿の画像データを得る条件は、以下の４種である。（１）光源２２Ａを使用し、ＩＲカットフィルタを光路中に挿入した時の画像データ、（２）光源２２Ａを使用し、ＩＲカットフィルタを光路から退避させた時の画像データ、（３）光源２２Ｂを使用し、ＩＲカットフィルタを光路中に挿入した時の画像データ、（４）光源２２Ｌを使用した時の画像データである。なお（４）の条件は、光源が可視光であるため、ＩＲカットフィルタの光路中での有無は、どちらでもよい。
【００４５】
以下、図２を用い、原稿Ｄの片面の画像データの読み込みを原稿移動読取機能で説明する。
【００４６】
（１）給紙皿１１にセットされた原稿Ｄは、上述の案内板１６Ａに沿って進行し、回転する大径の搬送ドラム１５と従動ローラ１６Ｂ、１６Ｄ、１６Ｃにより挟持されて搬送ドラム１５は矢印方向に回転し、この外周面に沿って搬送される。この後、通過センサＰＳ１２が原稿Ｄの先端を検知した後、所定のタイミングで、画像読取位置Ｒにおいて、光源２２Ａを使用し、ＩＲカットフィルタ２７は光路中に挿入された状態で、撮像素子２６により、まず原稿Ｄの読み取りの露光条件を決めるためのプリスキャンをおこなった後、原稿Ｄの搬送に従い読み取りをおこない、通過センサＰＳ１２が、原稿Ｄの終端を検知すると、搬送ドラム１５の回転と読み取りを停止する。この時原稿Ｄの終端は、搬送ドラム１５と従動ローラ１６Ｃに挟持された状態で、停止する。
【００４７】
この後、搬送ドラム１５は逆転（図２における矢印と逆方向）し、原稿Ｄは中間トレイ４１側へ搬送され、通過センサＰＳ１２が原稿Ｄの先端の通過を検知すると、搬送ドラム１５の回転を停止し、原稿Ｄの先端部は、搬送ドラム１５と従動ローラ１６Ｄに挟持された状態で停止する。なお、この読み取られた画像データは、例えば図４に示す、画像読取装置ＹＳ内のＲＡＭに格納される。
【００４８】
（２）続いて、光源２２Ａを使用し、ＩＲカットフィルタ２７を光路から退避させた状態で、撮像素子２６により原稿Ｄの読み取りをおこなう。中間トレイ４１上の原稿Ｄは前述の搬送ドラム１５と従動ローラ１６Ｄに挟持された状態から、再度搬送ドラム１５を、正転（図２における矢印方向）させ、同様に通過センサＰＳ１２が原稿Ｄの先端を検知した後、所定のタイミングで、画像読取位置Ｒにおいて、読み取りがスタートされる。以降は（１）と同じ動作である。この時に、読み取られた画像データは、同様に画像読取装置ＹＳ内のＲＡＭに格納される。
【００４９】
（３）更に、光源２２Ｂを使用し、ＩＲカットフィルタ２７を光路中に挿入した状態で、撮像素子２６により原稿Ｄの読み取りをおこなう。原稿の搬送に関わる動作は（２）と同様である。この時に、読み取られた画像データは、同様に画像読取装置ＹＳ内のＲＡＭに格納される。
【００５０】
（４）続いて更に、光源２２Ｌを使用し、撮像素子２６により原稿Ｄの読み取りをおこなう。原稿の搬送に関わる動作は（２）と同様である。この時に、読み取られた画像データは、同様に画像読取装置ＹＳ内のＲＡＭに格納される。
【００５１】
（５）再度、光源２２Ａを使用し、ＩＲカットフィルタ２７を光路中に挿入した状態で、撮像素子２６により原稿Ｄの読み取りをおこなう。中間トレイ４１上の原稿は前述の搬送ドラム１５と従動ローラ１６Ｄに挟持された状態から、再度搬送ドラム１５を、正転（図２における矢印方向）させ、同様に通過センサＰＳ１２が原稿Ｄの先端を検知した後、所定のタイミングで、画像読取位置Ｒにおいて、読み取りがスタートされる。さらに、原稿Ｄの搬送に従い読み取りをおこない、通過センサＰＳ１２が、原稿Ｄの終端を検知しても所定の時間読み取りを継続する。
【００５２】
この読み取りが、原稿全面の画像データとなり、同様に画像読取装置ＹＳ内のＲＡＭに格納される。なお原稿は、画像読取位置Ｒを通過し、分岐板１７Ａ、１７Ｂにより排紙ローラ１８Ａを経て排紙トレイ１９へ排紙される。
【００５３】
以上が原稿移動読取機能を使用した場合の、画像データ読み込み時の、画像読取装置ＹＳの動作である。なお、原稿が原稿台ガラス３１上に載置されたときは、光学系移動読取機能を使用して、上記（１）の条件時に原稿全面の画像データを得ることができるため上記（５）は、省略できる。
【００５４】
また、原稿移動読取機能、光学系移動読取機能に関わらず、原稿全面の画像データが必要なものは、光源２２Ａを使用し、ＩＲカットフィルタ２７を光路中に挿入した状態のものだけであり、それ以外は、原稿のうち決められた同一の場所のみを読み取るように、あらかじめ設定しておいても良い。こうすることにより上記４種の読み取りに要する時間を短縮できる。
【００５５】
さらに、原稿移動読取機能時は搬送ドラム１５の正転時と逆転時で上記読み取り条件を順次切り替えることにより、また光学系移動読取機能時は条件（２）〜（４）を光学系移動の往路と復路で切り替えることにより、さらなる時間短縮も可能である。加えて、各条件下における露光条件を決定するためのプリスキャンは、それぞれ各条件で読み取る部位の直前におこなうことで、別の動作としてのプリスキャンを、不要とすることができる。
【００５６】
なお上記（３）の光源条件は、光源が点光源列によって構成された線状光源の場合には、点光源の発光を選択的に制御して照射角度を変えることで対応可能である。図２で説明すると光源２２Ａと２２Ｂは、２２Ａの位置に１つでよい。
【００５７】
上記の条件で得られた画像データは、あらかじめ定めておいた分光的に一様な白の色票で正規化するための補正値を用いて、各色のデータを補正した後、再度ＲＡＭに格納される。
【００５８】
次に、得られた上記４種の条件での画像データを利用して、原稿の画像出力手段の判別に使用する評価項目とその評価方法について述べる。なお、以下に述べる比較等の評価に使用される画像データは、上述の補正した後の画像データであり、いわば画像出力値に等しいかまたは近似するデータである。また、その評価は本例では図４に示す画像読取装置ＹＳ内の画像読取部ＣＰＵのデータ評価部を評価手段として使用する。
【００５９】
１．赤外反射率特性（色材の種類）
まず第一に、原稿に使用されている色材の種類を求めるための評価方法について説明する。図５は、色材の種類を求めるためのフローチャートである。ここで使用するデータは、上記の条件の（１）と（２）で得た画像データである。
【００６０】
画像読取装置ＹＳ内のＣＰＵは、ＲＡＭに格納されている（１）と（２）の画像データを読み出す（Ｓ１１）。次に（１）の画像データより、シャドー部を最多に含むラインを抽出する（Ｓ１２）。このラインは、例えば所定の素子出力を閾値として、この出力以下の素子数の最多のところを選択する。さらに、（１）で選択したのと同じ位置の（２）のラインを抽出し（Ｓ１３）、出力を比較する（Ｓ１４）。
【００６１】
図６（ａ）に色材が顔料の場合、図６（ｂ）に色材が色素の場合の、画像データの違いを模式的に示す。実線が（１）のデータであり、破線が（２）のデータである。即ち、顔料を使用している場合には、同じようなデータとなり、色素の場合はシャドー部で差が大きくなる。これは色素は赤外領域の反射率が高く、顔料は赤外領域を吸収するため反射率が低くなるからである。
【００６２】
図５に戻り、データの差の絶対値が所定値以上あるデータ数（Ｒ）をカウントする（Ｓ１５）。次にＲの数は所定数以上かを確認し（Ｓ１６）、所定数未満の場合は、顔料と判断し（Ｓ２０）、所定数以上の場合は、差が所定値以上あるデータのそれぞれについて差の総和（Σ）を求める（Ｓ１７）。次にΣ／Ｒの値を求め、この値が所定値を越えるか確認する（Ｓ１８）。越える場合は色素と判断し（Ｓ１９）、越えない場合は顔料と判断する（Ｓ２０）。以上の評価方法により、原稿に使用された色材の種類を知ることが可能となる。
【００６３】
２．光沢の有無
次に、原稿の光沢の有無を判断するための評価方法を説明する。図７は、光沢の有無を判断するためのフローチャートである。ここで使用するデータは、上記の条件の（１）と（３）で得た画像データである。
【００６４】
画像読取装置ＹＳ内のＣＰＵは、ＲＡＭに格納されている（１）と（３）の画像データを読み出す（Ｓ２１）。次に（１）の画像データより、白地部を最多に含むラインを抽出する（Ｓ２２）。さらに、（１）で選択したのと同じ位置の（３）のラインを抽出し（Ｓ２３）、出力を比較する（Ｓ２４）。
【００６５】
原稿の光沢の有無は、この光源位置の変化、即ち照射角の違いによる画像データの相違により区別できる。即ち、光沢のある場合は（１）、（３）の画像データ変化が大きく、無い場合はその量は少ないことに基づいている。
【００６６】
ここで、データの差が所定値以上あるデータ数（Ｇ）をカウントする（Ｓ２５）。次にＧの数は所定数以上有るかを確認し（Ｓ２６）、所定数以下の場合は、光沢無しと判断し（Ｓ３２）、所定数以上の場合は、差が所定値以上あるデータのそれぞれについて差の絶対値の総和（Σ）を求める（Ｓ２７）。次にΣ／Ｇの値を求め、この値が所定値Ａを越えるか確認する（Ｓ２８）。越える場合は、光沢有りと判断し（Ｓ２９）、所定値Ａ以下で所定値Ｂ以上の場合は光沢僅か（Ｓ３０）、（Ｓ３１）と判断し、所定値Ｂ未満の場合は光沢無しと判断する（Ｓ３２）。なおこの光沢の有無は、白地部で説明したが、黒地部でも同様におこない、白地部の光沢の有無もしくは僅か、黒地部の光沢の有無もしくは僅かをそれぞれ区別するものである。以上の評価方法により、原稿の光沢の有無の判断が可能となる。
【００６７】
３．グレー部の可視特定波長での反射率変化
次に、原稿のグレー部の可視特定波長での反射率変化を判断するための評価方法を説明する。これは、原稿の出力手段の種類によっては、分光反射率の大きく異なるものがあり、これを検出して判断に利用するものである。
【００６８】
図８は、グレー部の可視特定波長での反射率変化を判断するためのフローチャートである。ここで使用するデータは、上記の条件の（１）と（４）で得た画像データである。
【００６９】
画像読取装置ＹＳ内のＣＰＵは、ＲＡＭに格納されている（１）と（４）の画像データを読み出す（Ｓ４１）。次に（１）の画像データより、グレー部もしくは最もグレーに近い部位を抽出する（Ｓ４２）。さらに、（１）で選択したのと同じ位置の（４）の部位を抽出する（Ｓ４３）。ここで、（１）から抽出した部位のグレー部の濃度を求める（Ｓ４４）。次にＳ４４と同様の操作で、Ｓ４３で抽出した（４）の部位の濃度を求める（Ｓ４５）。次にＳ４４とＳ４５の濃度差を求める（Ｓ４６）。次に、この差の絶対値が、あらかじめ決められた所定値より大きい場合かどうかを確認し（Ｓ４７）、大きい場合は、グレー部の可視特定波長での反射率変化が大きいと判断し（Ｓ４８）、所定値以下の場合は、小さいと判断する（Ｓ４９）。以上の評価により、グレー部の可視特定波長での反射率特性での区別が可能となる。
【００７０】
４．色域の広さ
これは、原稿の出力手段の持つ色域が、広いか否かを評価するものである。評価には、上記の条件（１）で得た画像データを使用する。
【００７１】
同様に画像読取装置ＹＳ内のＣＰＵは、ＲＡＭに格納されている（１）の画像データを読み出し、画像データから各点のＲ／（Ｒ＋Ｇ＋Ｂ）とＧ／（Ｒ＋Ｇ＋Ｂ）を計算する。この値のうち、所定の範囲を越えるものがあれば色域が広い、即ち彩度が高いと判断し、所定の範囲内に収まっていれば色域が狭い、即ち彩度が低いと判断する。
【００７２】
なおこのＲ／（Ｒ＋Ｇ＋Ｂ）とＧ／（Ｒ＋Ｇ＋Ｂ）の計算は、全点にわたりおこなっても良いが、等間隔ピッチでサンプリングし計算数を減らしておこなう方法でも正確度は幾分低下するが時間短縮には有効な方法である。また、更にＢ／（Ｂ＋Ｇ＋Ｒ）の計算を加えても良いのは勿論である。
【００７３】
なお、上記１〜４で使用される所定値、所定数、所定の範囲等の数値は、画像読取装置ＹＳの仕様に対応して、あらかじめ実験等で検討し、確認して決められる数値である。
【００７４】
５．空間周波数の集中の有無
これは、原稿が印刷物もしくは特定の電子写真であるかどうかを判断するための評価である。これらの原稿の、ハーフトーン部は規則的な点の集合体で形成されている。また画像読取装置ＹＳは変倍可能であるため、網点は周期的ではあるがそのピッチは、設定された拡大率、縮小率により変化することになる。ここでは、この周期性を検出するものである。
【００７５】
この判別には、上記の条件（１）で得た画像データを使用し、画像読取装置ＹＳ内のＣＰＵは、ＲＡＭに格納されている（１）の画像データを読み出し、その後このデータをフーリエ変換することにより、判断するものである。
【００７６】
以下、順を追って説明する。撮像素子上に結像後の画像のピッチと撮像素子の画素ピッチの関係では、以下の２つの場合がある。即ち（ａ）撮像面での画像のピッチが、撮像素子２６の画素ピッチより小さいかもしくは近傍の場合と、（ｂ）拡大率が大きく、撮像面での画像のピッチが、撮像素子２６の画素ピッチを大きく上回る場合である。
【００７７】
撮像素子のピッチをＰ１（ｍｍ）とし、撮像素子配列に直交する方向のデータ取得間隔をＰ２（ｍｍ）とすると、撮像素子の配列方向の空間周波数は１／Ｐ１（ｍｍ−１）で表され、原稿移動方向もしくは光学系移動方向の空間周波数は１／Ｐ２（ｍｍ−１）となる。一般的には、Ｐ１≒Ｐ２と考えて良い。上記（ａ）の場合は、撮像素子出力にうなり（電気的にはビート、光学的にはモアレ）を発生し、そのうなりは、撮像素子の周波数と撮像素子上に結像された画像の周波数の差の周波数となる。このため（ａ）の状態の時の画像データをフーリエ変換した時の結果は、素子配列方向、直交方向共にそれぞれ１／Ｐ１、１／Ｐ２に比べ極度に低周波数に集中したものとなり、高くともそれぞれ２／Ｐ１、２／Ｐ２を越えることはない。一方（ｂ）の状態の時の画像データをフーリエ変換した場合も、同様となる。
【００７８】
即ち、画像データをフーリエ変換し、周波数の分布を見たとき機械的に解像可能な周波数に比べ１／２以下の周波数に集中している場合、特定周波数に集中した原稿、即ち印刷物もしくは特定の電子写真であると判断できる。更にこの周波数の集中が各色間で約２２．５度の相対角を持つ場合、網点がこの相対角を持つため、印刷原稿と明確に判断できる。
【００７９】
図９は、空間周波数集中の有無を説明するための図である。横軸は撮像素子の配列方向の周波数、縦軸は配列に直交する方向の周波数を示している。解像可能な周波数は、撮像素子及びデータ取得間隔が上記と同じと仮定すると、図示の１／Ｐ１と１／Ｐ２で囲まれる楕円内となる。つまり、印刷物及び特定の電子写真以外の画像データをフーリエ変換した場合は、図示の１／Ｐ１と１／Ｐ２で囲まれる楕円内に分散した状態となる。
【００８０】
一方、上述のように、印刷物及び特定の電子写真の画像データをフーリエ変換した場合は、図示の２／Ｐ１と２／Ｐ２で囲まれる楕円内に集まる。更に印刷物の場合は、図内一点鎖線と破線で示すように相対的に約２２．５度の角度をもって各色の周波数が集中する。これにより印刷物と特定の電子写真が区別できる。
【００８１】
なお、この判別の境界をそれぞれ２／Ｐ１、２／Ｐ２としたが、ノイズ等を考慮して１．６／Ｐ１、１．８／Ｐ２等、状況に応じ境界を決めれられるものである。
【００８２】
上記の１〜５の評価方法で得られた結果を用いて、原稿の出力手段を判別する判別方法について以下に説明する。ここで述べる原稿の出力手段の判別は、本例では図４に示す画像読取部ＣＰＵの原稿判別部を判別手段として使用する。表１は、原稿の出力手段の各々について、上記の各評価項目での特性を示したものである。即ち上記の１〜５で得られた結果に合致するものが、求める原稿の出力手段となる。
【００８３】
【表１】
2004102575.tif 000002
【００８４】
しかし、原稿の画像条件によっては、上記１〜５で得られた結果が、表１の各出力手段に合致しない場合もままあり得る。このような場合も含め、原稿の出力手段の判別方法について説明する。表２は、表１の各判別項目の特性を−１、０、１の３値に置換したものである。詳しくは、上記１〜５で得られた結果について、色材の種類は、顔料を−１、色素を１とし、周波数集中の有無については、無しを−１、僅かを０、有りを１とし、光沢の有無は黒地、白地それぞれ無しを−１、僅かを０、有りを１とし、グレー部の可視特定波長での反射率変化については、小さいを−１、大きいを１とし、色域の広さについては、狭いを−１、広いを１とし、網点角度については、特徴ありを−１、無しを０、２２．５度の場合を１としたもので、以下の方法を用いる。
【００８５】
【表２】
2004102575.tif 000003
【００８６】
【表３】
2004102575.tif 000004
【００８７】
【表４】
2004102575.tif 000005
【００８８】
表３及び表４は、この判別方法の説明の表である。例えば、ある原稿を上記１〜５の判別により得られた結果が、表２の各項目順において、１、−１、１、１、−１、−１、０であったとする（表３）。この表３の各項と、表２の同じ項との積を求め、その項に記入したものが表４である。
【００８９】
例えば、色材の種類の項であれば、表３の原稿判別結果は１であり、表２の銀塩印画紙は１であるから、表４の銀塩印画紙の色材の種類の項は１×１で１となる。また、表２の印刷の色材の種類は、−１であるから、表４の印刷の色材の種類の項は１×（−１）で−１となる。これを各出力手段の全項目についておこなった後、各出力手段の各項目の単純和をとる（表４の単純和の項）。さらに、例えば使用者の使用頻度等を自動的に積算し、使用可能性を勘案する値が、バイアス値として設定されている。求めた単純和にバイアス値を加えたのが、判定の項の数値である。この項の最も数値の大きいものが、求める原稿の出力手段である。即ち、この表４の場合は、銀塩印画紙と判別される。
【００９０】
この方法をとれば、全項目が合致した時は勿論、何らかの理由により数項目に関して合致するものが無い場合でも、最も正確度の高い原稿の出力手段を求めることができる。更に使用者の使用頻度に応じたバイアス値を設定することで単純和の項が同じ数値となった時も、より判別の正確度を上げることができる。
【００９１】
さらに、操作パネル部の入力手段により、上記バイアス値及び特性値である３値は変更可能となっており、画像出力手段の進歩や仕様変更に応じて、より判別結果を正確な方向へ修正することも可能となっている。
【００９２】
なお、上記の方法以外にも、バイアス値ではなく各項目ごとに重み付け係数を付加して計算し、単純和の最大のものを、最も正確度の高い原稿の出力手段として求める方法も考えられる。この場合でも同様に、重み付けの係数を変更可能としておけば、より判別結果を正確な方向へ修正することができる。
【００９３】
図１０と図１１は、これまで述べてきた原稿の出力手段判別のための流れを含め、これに関わる画像読取装置の包括的な概略動作をまとめ、フローチャートにしたものである。
【００９４】
図１０に示すフローチャートに従い、順次説明する。まず、画像読取装置が原稿の出力手段を自動判別する自動判別モードとなっているかどうか確認する（Ｓ５０）。自動判別モードでなく、手動入力モードとなっていれば、原稿の出力手段の手動入力を待ち（Ｓ５１）、手動入力されれば、その結果をＲＡＭに格納する（Ｓ５２）。次に、原稿は給紙皿１１上にあるか確認し（Ｓ５３）、有れば原稿移動読取機能を使用し（Ｓ５４）、上述の各条件での生画像データを順次取得し（Ｓ５５）、それぞれＲＡＭに格納する（Ｓ５６）。更に、この生画像データを正規化補正した後、再度ＲＡＭに格納する（Ｓ５７）。一方、原稿が給紙皿１１上にない場合は、光学系移動読取機能を使用し（Ｓ５８）、同様に上述の各条件での生画像データを順次取得し（Ｓ５９）、それぞれＲＡＭに格納する（Ｓ６０）。更に、この生画像データを正規化補正した後、再度ＲＡＭに格納する（Ｓ６１）。
【００９５】
このようにして得られた、画像データから画像読取部ＣＰＵ内の評価手段により、各評価項目を評価し、この結果をもとに原稿判別手段にて上述の方法で原稿の出力手段を判別する（Ｓ６２）。この判別した原稿の出力手段をＲＡＭに格納する（Ｓ６３）。次に再度、自動判別モードかどうか確認し（Ｓ６４）、自動判別モード時は、この判別結果を原稿の出力手段と決定する（Ｓ６５）。一方自動判別モードでないときは、Ｓ５２の手動入力された出力手段とＳ６３の判別結果を比較し（Ｓ６６）、一致していればＳ６５へ戻り、一致しない場合は、表示パネルに警告表示をおこなう（Ｓ６７）。
【００９６】
更にこの場合、図１１に示すフローへ進み、警告表示と共にタイマーをスタートさせる（Ｓ６８）。このタイマーは、例えば１５秒間にセットされ、使用者が、手動入力結果を優先させるか、自動判別結果を優先させるかを選択するための猶予時間である。この時間内に操作パネルで、入力されたかどうかを監視し（Ｓ６９）、この時間内に何も入力が無い場合（Ｓ７０）は、判別結果を原稿の出力手段と決定する（Ｓ７１）。一方Ｓ６９で入力があった場合は、Ｓ７２へ進み、使用者が判別結果を選択した場合は、Ｓ７１に戻り、使用者が手動入力結果を選択した場合は、手動入力結果を原稿の出力手段と決定する（Ｓ７３）。
【００９７】
以上が、原稿の出力手段の判別に関する動作であり、これにより原稿の出力手段を求めることができる。
【００９８】
なお、上述の実施の形態では、原稿出力手段を７種に分けて判別したが、画像形成装置の仕様や用途に応じて、判別のための画像データの条件や判別する原稿出力手段を選択し限定しても良いのは勿論である。しかし、原稿の画像データを得る条件を前述の（１）と（２）のみとして、原稿出力手段の色材の種類で分け、表１に示す色素系と顔料系の２種に大別する方法を、第一に優先させることが好ましい。これに加えて、表１に示すその他の項を選択的に組み合わせることも本発明を逸脱するものではない。
【００９９】
以上で得られた原稿の出力手段の判別結果と、判別後の画像形成装置の動作について説明する。この時、使用する画像データは、原稿移動読取機能時は（５）で得た画像データの正規化補正後の原稿全面の画像データであり、光学系移動読取機能時は（１）で得た画像データの正規化補正後の原稿全面の画像データである。
【０１００】
図１２は、画像形成装置本体ＧＨ側の動作をフローチャートで表したものである。まず画像読取装置ＹＳの画像読取部ＣＰＵより画像形成装置本体ＧＨの画像形成部ＣＰＵへ、正規化補正後の原稿全面の画像データと、原稿の出力手段の判別結果を送出する（Ｓ１０１）。画像形成部ＣＰＵは、受け取った画像データを画像形成装置本体ＧＨ内のＲＡＭに格納する（Ｓ１０２）。次に、原稿の出力手段判別結果に対応する色補正パラメータを画像形成装置本体ＧＨ内のＲＯＭに格納されたルックアップテーブルより読み出す（Ｓ１０３）。この読み出した色補正パラメータを参照して、原稿全面の画像データを補正し再度ＲＡＭに格納する（Ｓ１０４）。
【０１０１】
次に、画像形成装置本体ＧＨの機構部を起動させ（Ｓ１０５）、Ｓ１０４で格納した画像データを使用して、画像形成をおこなう（Ｓ１０６）。この後、原稿の複製が排紙され（Ｓ１０７）、一連の動作が終了する。
【０１０２】
なお、画像形成装置を電子写真方式で説明したが、本発明はこれに限定されるものでなく、インクジェット方式等の、所謂デジタル方式の画像形成装置で有れば適用可能であるのは勿論である。
【０１０３】
さらに、色補正パラメータを画像読取装置内に設け、画像データの補正も画像読取装置内でおこない、画像形成装置へ送出しても良いが、上述のように画像形成装置の複製出力方法は種々あり、出力機器にそれぞれ対応した色補正パラメータであるため、画像形成装置側に設けることが好ましい。
【０１０４】
また、本発明の原稿判別方法及び原稿判別装置を有する画像形成装置は画像読取装置としても、ネットワークと接続された画像入力端末として用いることができ、特に色再現の重視されるフォトネットサービスにも好適なものである。
【０１０５】
なお本実施例では、１次元配列センサーを用いた場合を例に取り説明したが、２次元配列センサーを用いた場合でも本発明を逸脱するものではないし、原稿はフィルム等の透過原稿も含まれるのは勿論である。
【０１０６】
【発明の効果】
以上説明したように、本発明によれば画像読取部の総合的な分光感度に制約を加えることなく、また使用者に原稿の出力手段を判別させずに、原稿の出力手段を判別可能な原稿判別方法及び原稿判別装置を有する画像形成装置を得ることができ、これにより原稿の出力手段に関わらず、良好な色再現の複製を得ることが可能となる。
【図面の簡単な説明】
【図１】本発明の一実施形態である画像形成装置の概略断面構成図である。
【図２】本発明に使用する画像読取装置の縦断面図である。
【図３】画像読取装置に使用する光源の一つであるＨＩＤランプの分光強度の図である。
【図４】本発明の画像形成装置の概略ブロック図である。
【図５】色材の判断のためのフローチャートである。
【図６】色材が異なる場合の、画像データの違いを模式的に示した図である。
【図７】光沢の有無を判断するためのフローチャートである。
【図８】グレー部の可視特定波長での反射率変化を判断するためのフローチャートである。
【図９】空間周波数集中の有無の判断方法を説明するための図である。
【図１０】画像読取装置の包括的な概略動作をまとめフローチャートにしたものである。
【図１１】図１０のフローチャートの一部である。
【図１２】画像形成装置本体側の動作をフローチャートで表したものである。
【符号の説明】
１１　給紙皿
１５　搬送ドラム
２２　光源
２５　撮像レンズ
２６　撮像素子
２７　ＩＲカットフィルタ
４１　中間トレイ
【図１】
2004102575.tif 000006
【図２】
2004102575.tif 000007
【図３】
2004102575.tif 000008
【図４】
2004102575.tif 000009
【図５】
2004102575.tif 000010
【図６】
2004102575.tif 000011
【図７】
2004102575.tif 000012
【図８】
2004102575.tif 000013
【図９】
2004102575.tif 000014
【図１０】
2004102575.tif 000015
【図１１】
2004102575.tif 000016
【図１２】
2004102575.tif 000017